(57)【要約】  回折効果を利用し、同一視野内に二つの光学状態による粒子線照射の粗密を作り出す。試料３上側、照射光学系の下側に粒子線を透過する材料で製作された回折格子３６を配置し、回折格子３６の開口領域３５よりも広範囲な領域３７を粒子線２５が照射するように構成する。開口領域３５によってブラッグ回析された粒子線と、開口領域３５の外側周辺部を回折を受けずに透過した粒子線を重畳して試料３に照射することによって、試料３へ照射される粒子線の粗密を作りだすことが可能となる。
2017183472.tif 000002
【特許請求の範囲】
【請求項１】
粒子線装置であって、
粒子線を発生する粒子線源と、
前記粒子線を試料に照射する照射部と、
前記試料を保持する試料保持部と、
前記試料を透過した前記粒子線を検出するための検出部と、
前記照射部における前記粒子線の進行方向下流側で、前記試料の前記粒子線の進行方向上流側に備えられ、前記粒子線に対して透過性を有する材料で構成される回折格子と、
前記回折格子の前記粒子線装置の光軸上への着脱と移動を可能とする保持装置と、を備え、
前記回折格子の開口領域は、前記粒子線の前記回折格子への照射領域よりも小さい、
ことを特徴とする粒子線装置。
【請求項２】
請求項１に記載の粒子線装置であって、
前記粒子線は荷電粒子線であり、
前記試料を透過した前記荷電粒子線を結像する少なくとも一つのレンズからなる対物レンズ系と、
前記対物レンズ系の前記荷電粒子線の進行方向下流側に配置された複数のレンズからなる結像光学系と、を更に備え、
前記検出部は、前記結像光学系による前記試料の像を取得する、
ことを特徴とする粒子線装置。
【請求項３】
請求項２に記載の粒子線装置であって、
前記照射部が作る前記荷電粒子線の収束点の位置により、前記粒子線の前記試料への照射領域を制御する、
ことを特徴とする粒子線装置。
【請求項４】
請求項２に記載の粒子線装置であって、
前記光軸上において、前記荷電粒子線の進行方向に前記回折格子、前記回折格子の回折面に置かれた前記試料の順に構成される、
ことを特徴とする粒子線装置。
【請求項５】
請求項３に記載の粒子線装置であって、
前記光軸上において、前記荷電粒子線の進行方向に前記収束点、前記回折格子、前記試料の順に、又は前記回折格子、前記収束点、前記試料の順に構成されている、
ことを特徴とする粒子線装置。
【請求項６】
請求項３に記載の粒子線装置であって、
前記光軸上において、前記荷電粒子線の進行方向に前記回折格子、前記試料、前記収束点の順に構成されている、
ことを特徴とする粒子線装置。
【請求項７】
請求項２に記載の粒子線装置であって、
前記対物レンズ系もしくは前記結像光学系のいずれかに、あるいは両方にバイプリズム装置を備えている、
ことを特徴とする粒子線装置。
【請求項８】
請求項７に記載の粒子線装置であって、
前記回折格子の前記保持装置と、前記試料保持部と、前記バイプリズム装置のいずれか、あるいはいずれか複数が、前記光軸に平行な軸を回転軸とした方位回転が可能である、
ことを特徴とする粒子線装置。
【請求項９】
荷電粒子線装置よる観察法であって、
前記荷電粒子線装置は、荷電粒子線を発生する光源と、前記荷電粒子線を試料に照射する照射部と、前記試料を保持するための試料保持部と、前記試料を透過した前記荷電粒子線を結像する少なくも一つのレンズからなる対物レンズ系と、前記対物レンズ系の前記荷電粒子線の進行方向下流側に配置された複数のレンズからなる結像光学系と、前記照射部における前記荷電粒子線の進行方向下流側で、前記試料の前記荷電粒子線の進行方向上流側に備えられ、前記荷電粒子線に対して透過性を有する材料で構成される回折格子と、を備え、
前記回折格子の開口領域を、前記荷電粒子線の前記回折格子への照射領域よりも小さくし、前記試料上に作られる前記回折格子により回折された前記荷電粒子線の照射領域が、前記回折格子を透過した前記荷電粒子線の照射領域内にある状態を観察する、
ことを特徴とする観察法。
【請求項１０】
請求項９に記載の観察法であって、
前記荷電粒子線装置は、前記対物レンズ系もしくは前記結像光学系のいずれか、あるいは両方にバイプリズム装置を備え、
前記試料上に作られた前記回折格子により回折された前記荷電粒子線の照射領域と、前記回折格子を透過した前記荷電粒子線の照射領域との干渉状態を観察する、
ことを特徴とする観察法。
【請求項１１】
粒子線装置に用いる回折格子であって、
粒子線に対して透過性を持つ材料で構成され、前記粒子線を回折する開口領域と当該開口領域の外側周辺部とを有し、
前記粒子線を前記開口領域及び前記外側周辺部に照射したとき、前記粒子線が流れる方向の下流側に設置される試料に照射される前記粒子線の粗密を形成する、
ことを特徴とする回折格子。
【請求項１２】
請求項１１に記載の回折格子であって、
当該回折格子の格子間隔と前記開口領域の最大幅の積が、前記粒子線の波長と、前記試料と前記回折格子との距離との積よりも小さい、
ことを特徴とする回折格子。
【請求項１３】
請求項１１に記載の回折格子であって、
前記開口領域の最大幅と同じかより広い領域を前記粒子線が照射する時、前記回折格子を透過した前記粒子線により前記試料に形成される前記回折格子の陰の領域と、前記回折格子により回折された前記粒子線とが前記試料上で互いに重ならない、
ことを特徴とする回折格子。
【請求項１４】
請求項１１に記載の回折格子であって、
当該回折格子は、透過型円形回折格子（以下、ゾーンプレート）であり、
前記ゾーンプレートの一番内側の輪帯半径をｒｚとし、前記粒子線の波長をλとし、前記試料と前記回折格子との距離をＬとした場合、
ｒｚ２＜２Ｌλ
となる関係を有する、
ことを特徴とする回折格子。
【請求項１５】
請求項１４に記載の回折格子であって、
前記ゾーンプレートの開口領域の最大幅よりも同じかより広い領域を前記粒子線が照射するとき、前記ゾーンプレートを透過した前記粒子線の収束サイズが前記開口領域の最大幅の半分よりも小さい、
ことを特徴とする回折格子。
【発明の詳細な説明】
【技術分野】
【０００１】
本発明は、回折効果を利用する粒子線装置とその観察法、及びそれに利用する回折格子に関する。
【背景技術】
【０００２】
電子線やイオンビームなどの荷電粒子線は、真空中を伝搬させなければならないこと、波長が数pmの桁と短く、偏向角度が小さいこと、光学におけるハーフミラーの様な有効なビームスプリッターがないことなどから、光学ベンチにおけるマッハツェンダー干渉計のごとく複数の光学経路を作り出してそれぞれ独立に光学系を構成することは難しい。また、紫外線やＸ線など短波長の電磁波では、その良透過性から有効な光学素子を構成することが難しく、さらには中性子線や分子線・重粒子線などの粒子線ではそもそも光学素子がない。そのため、光源から検出器までの間に試料を配し、経路伝搬による試料での散乱・吸収像の観察か、あるいは干渉・回折効果に基づく回折パターンの観察が実施されているのみである。すなわち、上記いずれの電磁波装置、粒子線装置においても、１経路の光学系が用いられており、試料を透過した透過ビームにも散乱・回折ビームにも同一のレンズや同一の偏向器などを用いなければならず、同一の光学条件を適用した計測法が用いられている。【０００３】
上記装置類の中では、電子線を用いた電子顕微鏡が最も開発が進んでおり、電子レンズ、偏向器、電子線バイプリズムなど様々な光学素子が実現されているが、原理的に電子線の伝搬は真空中でなければならず、１つの真空排気された鏡筒内に１経路の光学系で構成されているのみである。電子線干渉において唯一有効なビームスプリッターである電子線バイプリズムを利用した場合でも、その偏向角度は最大でも10-3 radと小さく、２つの経路に対して、同一のレンズ、偏向器を用いなければならないという制約は、他の粒子線装置類と何ら変わらない。そのため、同一視野内に電子線照射の粗密を作り出すことは難しく、電子線照射に起因した試料の帯電効果や試料損傷の程度を2つの照射条件を同時に比較参照しながら観察すること、とりわけその変化の過程を観察することは困難であった。【０００４】
上記課題に対する対策ではないが、フーリエ変換ホログラフィーとして、１鏡筒内に2つの照射条件を作り出す手法を開示する非特許文献１と、Ｘ線で2つの照射条件を作り出す可能性を開示した特許文献１がある。【０００５】
非特許文献１は、アモルファス薄膜からなる拡散板を透過した電子線の対物レンズの後焦点面を試料面として利用する手法で、拡散板で散乱を受けずに透過した電子線は光軸上にスポットを結び、アモルファス膜でランダムに散乱された電子線は後焦点面で平面上に広がる現象を利用したもので、光軸上のスポットと平面状部分の電子線との干渉を利用する。特許文献１は非特許文献１の拡散板に変わり、孔を設けたゾーンプレートを利用するもので、ゾーンプレートのレンズ効果による焦点がスポットとなり、孔を透過したＸ線が平面波となる。いずれの例もホログラフィーとしては実用的でなく普及していない。また、レンズの存在しない粒子線装置では、実現不可能な構成である。【０００６】
また、試料の上側に回折格子として刃状転位格子（フォーク型格子）を配置する例は特許文献２、３に開示されている。特許文献２は刃状転位格子を透過し、逆空間においてらせん波となった回折電子線のみを試料に照射するもので、刃状転位格子と試料との間には電子レンズと絞り孔を備え、その後焦点位置に試料を配置する。この例もレンズの存在しない粒子線装置では実現不可能である。
【先行技術文献】
【特許文献】
【０００７】
【特許文献１】ＰＣＴ国際公開番号WO2006/115114
【特許文献２】米国公報  US8680488
【特許文献３】ＰＣＴ国際公開番号WO2015/118624
【非特許文献】
【０００８】
【非特許文献１】R. Lauer; Optik, 67 (1984) 291.
【発明の概要】
【発明が解決しようとする課題】
【０００９】
上述したように、紫外線やＸ線などの短波長の電磁波装置や粒子線装置では１経路の光学系、すなわち、試料を透過した透過ビームにも散乱・回折ビームにも同じレンズや同じ偏向器など同一の光学条件を適用した計測法しか利用できないため、同一視野内に２つの光学状態による粒子線照射の粗密を作り出すことは難しく、広範囲を照射しながら、局所的に照射量を増やして明るさを稼ぎ高倍率観察すること、あるいは局所的な試料状態の照射量依存性を、周辺部を参照してその変化を観察すること、また加工などにおいては、全体を一定の低量照射しながらピンポイントに局所高密度照射を施し、加工・調整などを実施することは困難であった。【００１０】
例えば電子線照射における試料の帯電効果の観察は、帯電しない試料中に一部絶縁体を配置し、観察時の照射電子線による絶縁体部のチャージアップ現象を観察する。もしくは、電子線をスポット状に絞り電流密度を高くして試料の一部を照射し、後に照射領域を広げてスポット照射部の帯電の変化の様子を事後に観察するのみであった。すなわち、電子線がおのずから導入する直接的な照射効果を平衡状態で観察する手法はなかった。これは帯電現象の観察手段と導入手段がいずれも同じ電子線であるためで、回避不可能と考えられていた。【００１１】
本発明の目的は、上記の課題を解決し、同一視野内に二つの光学状態による粒子線照射の粗密を作り出すことが可能な粒子線装置、その観察法、及び回折格子を提供することにある。
【課題を解決するための手段】
【００１２】
上記の目的を達成するため、本発明においては、粒子線装置であって、粒子線を発生する粒子線源と、粒子線を試料に照射する照射部と、試料を保持するための試料保持部と、試料を透過した粒子線を取得するための検出部と、照射部における粒子線の進行方向下流側で、試料の粒子線の進行方向上流側に備えられ、粒子線に対して透過性を有する材料で構成される回折格子と、回折格子の当該装置の光軸上への着脱と移動を可能とする保持装置とを備え、回折格子の開口領域は粒子線の回折格子への照射領域よりも小さい構成の粒子線装置を提供する。【００１３】
また、上記の目的を達成するため、本発明においては、荷電粒子線装置よる観察法であって、荷電粒子線装置は、荷電粒子線を発生する光源と、荷電粒子線を試料に照射する照射部と、試料を保持するための試料保持部と、試料を透過した荷電粒子線を結像する少なくも一つのレンズからなる対物レンズ系と、対物レンズ系の荷電粒子線の進行方向下流側に配置された複数のレンズからなる結像光学系と、照射部における荷電粒子線の進行方向下流側で、試料の荷電粒子線の進行方向上流側に備えられ、荷電粒子線に対して透過性を有する材料で構成される回折格子とを備え、回折格子の開口領域を、荷電粒子線の回折格子への照射領域よりも小さくし、試料上に作られる回折格子により回折された荷電粒子線の照射領域が、回折格子を透過した荷電粒子線の照射領域内にある状態を観察する観察法を提供する。【００１４】
更に、上記の目的を達成するため、本発明においては、粒子線装置に用いる回折格子であって、粒子線に対して透過性を持つ材料で構成され、粒子線を回折する開口領域と当該開口領域の外側周辺部とを有し、粒子線を開口領域及び外側周辺部に照射したとき、粒子線が流れる方向の下流側に設置される試料に照射される粒子線の粗密を形成する回折格子を提供する。
【発明の効果】
【００１５】
本発明によれば、回折格子で回折を受けずに透過した粒子線による照射量を基準にして、回折により重畳あるいは減少された粒子線による試料への照射の影響を、周辺部の様子とともに観察可能となる。
【図面の簡単な説明】
【００１６】
【図１】本発明の光学系の基本構成を示す模式図である。
【図２】本発明の光学系の回折格子と試料と収束点（クロスオーバー）との位置関係を示す模式図である。
【図３】実施例１に係る回折格子を説明する格子の断面を描いた模式図である。
【図４】実施例１に係る回折格子の構成例を示す模式図である。
【図５】実施例１に係る、ブラッグ回折とフラウンホーファー回折とを説明する模式図である。
【図６】実施例１に係る粒子線装置のシステム全体の一例を示す模式図である。
【図７】実施例２に係る医療応用例の基本構成を示す模式図である。
【図８】実施例６に係る干渉光学系への応用例を示す模式図である。
【図９】実施例７に係る透過波と回折波の干渉を説明する模式図である。
【図１０】実施例７に係る透過波と回折波の重畳の様子を光軸に沿って観察した観察例を示す図である。
【図１１】実施例７に係るホログラムと再生振幅像、再生位相像の一例を示す図である。
【図１２】実施例７に係る干渉光学系の一例を示す模式図である。
【図１３】実施例８に係るホログラム記録のための光学系の模式図である。
【発明を実施するための形態】
【００１７】
以下、本発明を実施するための形態を説明するに先立ち、本発明の原理手法を概説する。試料面に置かれた試料の上側、照射光学系の下側に、例えば電子線などの粒子線に対して透過性を有する基板に構成される回折格子を配置し、回折格子の開口領域よりも広範囲の照射領域を粒子線が照射すると、回折格子によってブラッグ(Bragg)回折された照射ビームと、回折を受けなかった透過ビームとが重畳して試料に照射されることによって、試料への照射ビームの粗密を作り出すことができる。
【００１８】
このとき、回折格子の光軸垂直方向の位置変更により試料面上の重畳照射される照射位置の制御が可能であり、照射ビームが収束照射、あるいは拡散照射の場合には、回折格子の光軸方向の位置変更により試料面上に重畳照射される照射スポットサイズが制御可能である。この手法は、ブラッグ回折のみに基づいているため、ブラッグ回折する程度の干渉性を持つ粒子線であれば、Ｘ線等の電磁波や電子線・イオンビームなどの荷電粒子線だけでなく、分子線・重粒子線や中性子線などでも実施可能である。
【００１９】
上記の手法によれば、回折格子の開口領域での回折を受けず、回折格子の開口外側周辺部を透過した透過ビームによる照射量を基準にして、その照射領域内に回折格子によって回折された回折ビームを重畳付加することが可能となる。さらに、回折格子の開口領域の影の部分は回折ビームとして使われた分照射ビームが減少するため、基準照射量よりも減少した場合についても、同時観察が可能である。すなわち重畳あるいは減少された粒子線による試料への照射の影響を、周辺部の様子とともに観察可能となる。
【００２０】
また、回折ビームによる重畳照射位置を、透過ビームにより均一照射された周辺部を参照して干渉観察することが可能で、試料への粒子線の局所照射による効果のみを計測することができる。この時、回折ビームの回折方位と２波を重畳干渉させる干渉方位を直交させることが可能であり、重畳された回折ビームの影響を干渉に寄与させず、高精度計測が可能である。さらに、回折格子を照射する照射角と格子の回折角、および格子と試料との距離により、照射ビームの可干渉性の制御も可能である。すなわち、本発明による光学系は、干渉計測においても高い自由度、制御性を有している。
【００２１】
以下の明細書の記載、及び特許請求の範囲の記載において、粒子線装置とは、中性子線や分子線・重粒子線などの粒子線装置だけでなく、電子線やイオンビームなどの荷電粒子線を用いる装置と、さらにＸ線や紫外線、ガンマ線などの電磁波を用いる装置を総称するものとする。また、電子線、イオンビームなどの荷電粒子線、分子線・重粒子線や中性子線、更にはＸ線等の電磁波を含め、波動を伴いブラッグ回折する程度の干渉性を持つビームを粒子線と総称するものとする。また、回折格子とは、粒子線を回折する開口領域と当該開口領域の外側周辺部を含めた素子、すなわち物体としての回折格子を意味するものとする。
【実施例１】
【００２２】
実施例１は回折効果を利用する粒子線装置とその観察法、及びそれに利用する回折格子の実施例である。すなわち、粒子線を発生する粒子線源と、粒子線を試料に照射する照射部と、試料を保持するための試料保持部と、試料を透過した粒子線を取得するための検出部と、照射部における粒子線の進行方向下流側で、試料の粒子線の進行方向上流側に備えられ、粒子線に対して透過性を有する材料で構成される回折格子と、回折格子の当該装置の光軸上への着脱と移動を可能とする保持装置とを備え、回折格子の開口領域は粒子線の回折格子への照射領域よりも小さい構成の粒子線装置の実施例である。【００２３】
また、荷電粒子線装置よる観察法であって、荷電粒子線装置は、荷電粒子線を発生する光源と、荷電粒子線を試料に照射する照射部と、試料を保持するための試料保持部と、試料を透過した荷電粒子線を結像する少なくも一つのレンズからなる対物レンズ系と、対物レンズ系の荷電粒子線の進行方向下流側に配置された複数のレンズからなる結像光学系と、照射部における荷電粒子線の進行方向下流側で試料の荷電粒子線の進行方向上流側に備えられ、荷電粒子線に対して透過性を有する材料で構成される回折格子とを備え、回折格子の開口領域を、荷電粒子線の回折格子への照射領域よりも小さくし、試料上に作られる回折格子により回折された荷電粒子線の照射領域が、回折格子を透過した荷電粒子線の照射領域内にある状態を観察する観察法の実施例である。【００２４】
図１に本発明の光学系の基本構成、並びに実施例１に係る粒子線装置の最も基本的な構成を示す。粒子線装置において、試料もしくは試料面３よりも上流側に開口領域３５を有する回折格子３６が配され、回折格子３６の開口領域３５を透過した透過波２１と回折した回折波２２が試料もしくは試料面３をそれぞれ個別に照射している。回折格子３６は、使用する粒子線２５に対して透過性を持つ材料で作られた基板で作られており、粒子線２５が回折格子３６を照射する領域３７は、開口領域３５の開口サイズよりも大きくなるように構成されている。更に、回折格子３６を透過した粒子線２５が試料もしくは試料面３を照射する照射領域２３は、回折格子により回折された回折波２２が照射する位置、及びその領域よりも大きくなるように粒子線２５は調整されている。【００２５】
これにより、試料もしくは試料面３上を照射する粒子線２５は、開口領域３５を透過した粒子線である透過波２１が照射する粒子線装置の光軸２を含む領域は、開口領域３５の回折効果によって粒子線の強度が周辺部よりも減少している。また開口領域３５により回折された回折波２２が照射する試料もしくは試料面３上の粒子線は、領域３７に対応する開口領域３５の外側周辺部を透過した透過波と回折波２２との合成されたものとなるため、その周辺部よりも強度が増している。【００２６】
このように、粒子線に対して透過性を有する材料からなる基板で作られた回折格子３６を用い、その開口領域３５が粒子線の基板への照射領域３７よりも小さくなるように構成することにより、試料面上には、回折格子３６の開口領域３５の外側周辺部を含む照射領域３７に対応する透過粒子線と、透過性を有する基板に形成された回折格子３６の開口領域３５により回折された照射粒子線の回折スポット、及び回折格子の陰とが重畳されることにより、粗密が形成される。【００２７】
本実施例の構成によれば、回折格子を透過した入射波が試料面上を照射する強度を基準とすると、装置の光軸上の回折格子の開口領域は回折格子の影の領域となり粒子線強度が減少し、回折波が到達した試料面上は透過波と回折波との重畳により、粒子線の強度が増している。このように、試料面の粒子線に対する上流側に回折格子を配置すると、３通りの照射強度を同一視野中に同時に作り出すことができる。【００２８】
図１の基本構成において、回折格子３６と試料３とは互いに独立で、それぞれ水平２次元方向と垂直方向に微動が可能なホルダーに設置されており、従来の粒子線装置と同様に試料の観察位置を定めることが可能である。さらに回折格子の位置を微動させることにより、その試料の任意の位置に回折波を重畳させる、あるいは回折格子の開口の陰の領域を重畳させることが可能である。回折格子と試料のいずれか一方、あるいはそれら両方のホルダーが、光軸と平行な軸を回転軸とする方位角回転の機構を持てば、試料３の観察位置と試料への回折波の重畳照射位置の選定に対して、より自由度が大きくなる。【００２９】
さらに、回折格子と試料のそれぞれのホルダーは、独立して光学系内、装置の光軸上への着脱が可能な構成とすることにより、例えば回折格子を光学系の光軸上からはずした場合には従来の粒子線装置としての試料観察が可能である。また本実施例の構成を用いた観察法を実施する手順として、試料を光学系内に設置する前に回折格子だけを光学系内に設置し、回折波の重畳の状態を調整することも可能である。この手順は試料への粒子線の照射量を減らす上で有効な処置である。【００３０】
なお、図１の照射光学系の基本構成は、回折格子３６と試料もしくは試料面３との間に粒子線のクロスオーバー２６を形成する場合を図示したもので、粒子線装置の照射光学系が収束ビームを作り出せる装置の場合、すなわち電子線装置やイオンビーム装置などの荷電粒子線装置に好適な構成例である。【００３１】
以下、本実施例の粒子線装置におけるクロスオーバー２６の位置について説明する。一般的にクロスオーバー２６の位置は、図２の(a)に示す如く回折格子３６の上側の場合、図２の(b)および図１に示す回折格子３６と試料３との間に位置する場合、そして図２の(c)に示す試料もしくは試料面３の下側に位置する場合、の３通りが考えられる。【００３２】
図２の(a)に示す照射光学系は、Ｘ線や中性子線、分子線など、プローブとして用いる粒子線を収束・発散させるのに十分な照射光学系、あるいは試料を観察できる結像光学系を持たない粒子線装置においては必須の光学系である。もちろん電子線装置、イオンビーム装置においても実施可能な光学系であり、試料もしくは試料面３上での透過波２１が照射する基準照射領域と回折波２２が重畳照射する領域、そして開口領域３５の影の領域のそれぞれを広範囲とする場合に有効な光学系である。【００３３】
図２の(b)は、回折格子３６と試料もしくは試料面３との間で一度クロスオーバー２６を作り透過波２１、回折波２２のそれぞれをスポットにするため、試料面上での透過波が照射する基準照射領域に対して相対的に小さな回折波が重畳照射する領域と回折格子の開口の影の領域を作る場合に有効な光学系である。また、図２の(c)は、図２の(a)と対を成す光学系であり、試料もしくは試料面３上での透過波が照射する基準照射領域と回折波が重畳照射する領域、そして回折格子の開口の影の領域のそれぞれを狭い範囲とする場合に有効な光学系である。【００３４】
図２に示した３つの光学系、すなわちクロスオーバー２６と回折格子３６と試料３との位置関係は、有効なレンズ系を有する荷電粒子線装置では、必要に応じて簡単に使い分けることが可能である。Ｘ線装置、中性子線装置においても、弱いながらもレンズ系は考案されているので、粒子線の経路長さえ十分に長く取ることができれば、原理的には３つの光学系をそれぞれ実現可能である。【００３５】
図３は本実施例の粒子線装置並びに観察法で用いる回折格子の一構成例を示す半断面図である。上述したように、回折格子は使用する粒子線に対して透過性を持つ材料からなる基板３０で構成される。図３の(a)は基板３０に構成され、格子の幹部３１を有する単純格子、(b)は基板３０に構成されたゾーンプレート、(c)は基板３０に構成され、内側のリング部を保持するための薄膜３２を格子下部に付加したゾーンプレート、(d)は補強部３３により内側リング部を保持する型のゾーンプレートである。ゾーンプレートのように基板３０に構成される格子部分が開口外側周辺部と独立するパターン形状の場合には、図３の(c)や(d)のような格子部を保持、補強する工夫が必要となる。薄膜３２は、回折格子に照射される粒子線に対して透過性を有する材料で構成される。なお、図３はいずれも円形開口の場合を図示しているが、本実施例の構成は円形開口に限定するものではない。【００３６】
図３の(a)の単純格子を例に説明するが、図３の(a)では回折格子３６の幹部３１と幹部３１の隙間の空間部分を同じ幅で、かつ幹部３１を矩形に描いている。幹部３１の形状を矩形にすることにより、高調波として高次の回折波を発生させることが可能となる。そして、幹部３１と幹部３１の隙間の空間部分の幅の比により高次の回折波の強度を制御することができる。例えば、幹部３１と幹部３１の隙間の空間部分の幅の比が１：１の時には２次の回折波の強度を弱めることが可能であり、幹部３１と幹部３１の隙間の空間部分の幅の比が２：１、あるいは１：２の時には３次の回折波の強度を弱めることが可能である。また、幹部３１の形状を正弦関数様に加工した場合には、回折波の高調波の発生を抑えることが可能で、±１次の回折波の強度を高めることも可能である。【００３７】
図１と図２に示した通り本実施例の構成では、回折格子の開口領域、すなわち開口部の外側周辺部の基板３０を透過した粒子線が照射強度の基準となる。そのため回折格子３６を構成する基板３０は、粒子線に対して透過性が100%である必要はないが、入射粒子線を十分な強度を持ったまま透過させられる程度の厚さに制限する必要がある。また、入射粒子線の干渉性は、実施例の中で述べる干渉光学系を想定する場合以外は必須ではないが、回折格子とその下流側の試料を透過した後の粒子線が結像できる程度には干渉性の劣化や非弾性散乱による入射粒子線のエネルギー散逸を低く抑える必要がある。その判断基準としては、例えば、回折格子を構成する基板あるいは薄膜の材料を透過した300kVの電子線が受ける位相変調をπ程度か、それ以下とするという条件を用いることができる。【００３８】
表１に300kVの電子線へ位相差πを与えるときの基板の厚さを、いくつかの基板あるいは薄膜の材料について例示する。この中では、材料が市販されていて、かつ加工の容易性などから30nm厚、もしくは50nm厚の窒化シリコン（Si3N4）膜の利用が適切である。この時、Si3N4膜は絶縁性があるため、粒子線が電子線など荷電粒子線を用いる場合には、例えばカーボン（C）蒸着、あるいは白金パラジウム（PtPd）コーティング等により帯電防止策を付加することは必須である。
表１
2017183472.tif 000003
【００３９】
図４に本実施例の粒子線装置で用いることができる回折格子のいくつかの型を例示する。回折格子を薄い色で描画しているが、これは上述の回折格子を構成する基板あるいは薄膜が、用いる粒子線に対して透過能を持つ、すなわち透過性を有することを示すためである。図４の(a)は単純格子４３、図４の(b)はゾーンプレート４４、図４の(c)は刃状転位格子４５、図４の(d)は渦状ゾーンプレート４６である。図４の(a)、(b)は図３の(a)、(b)で示した回折格子と同種のもの、図４の(c)、(d)は、らせん波を発生させる回折格子である。らせん波は等位相面がらせん形状をしているため、らせんのコア部において位相が一意に定まらない特異点を持つ波で、軌道角運動量を保持したまま伝搬できる波と考えられており、例えば電子線などの場合には伝播方向に磁場を伴ったプローブとなる可能性がある（特許文献３参照）。【００４０】
入射粒子線を図４の(c)に描いた刃状転位格子４５を透過させた場合には、格子中央の刃状転位の部分を軸にらせん状の平面波を回折波として発生させる。また、図４の(d)の渦状ゾーンプレート４６では、渦中央の刃状転位の部分を軸にした球面波状のらせん波を発生させる。当然のことながら、図４の(c)、(d)は回折格子としての特徴も持つため、先述した格子の幹と幹の隙間の空間部分の幅の比や格子の幹部の形状で、回折波の高調波を制御可能である。なお、図４で図示した例も開口形状を円形に描画しているが、本実施例の回折格子の開口領域である開口部は円形開口に限定するものではない。【００４１】
次に図５を用いて、回折格子によるブラッグ回折と、本実施例の装置構成で利用する回折格子の適用条件について説明する。なお、数式の導出に当たっては、簡便のため直径２ｒの円形開口について述べるが、２ｒを開口の最大サイズとみなせば、他の開口形状についても同様に扱うことができる。また簡単のため、入射粒子線は平行ビームを仮定している。【００４２】
ブラッグ回折とは、周期構造を持つ対象に対して入射した波動が対象を透過、あるいは反射する際にある特定の角度で強度が強くなる現象のことで、結晶に対するＸ線での現象として発見された。これは結晶を構成する原子により散乱されたＸ線が、結晶の周期構造により強めあったり打ち消されたりして発生する。Ｘ線の波長をλ’、結晶面の間隔をｄ’、結晶面とＸ線との成す角度をθ’、ｎを整数とすると、ブラッグ条件として式（１）で表される。【００４３】
【数１】
2017183472.tif 000004
【００４４】
図５の(a)には、回折格子でのブラッグの関係を示している。ブラッグ条件は、回折格子の格子間隔をｄ、入射粒子線の波長をλ、回折角をθ、ｎを整数として式（２）で表される。【００４５】
【数２】
2017183472.tif 000005
【００４６】
式（２）では、回折角θは微小角度として近軸近似を行っているが、本実施例の構成で取り扱う粒子線回折としては一般性を失わない。また、±１次の回折波について主に取り扱うためｎ＝１とできる。さらに、回折現象を粒子線装置で観察するとき、試料と検出面との距離をＬ、検出面における透過波と回折波との距離をＲとおくと、ブラッグ条件はまとめて式（３）に簡略化できる。【００４７】
【数３】
2017183472.tif 000006
【００４８】
次に本実施例の装置構成で利用する回折格子の適用条件を説明する。上述の回折格子と検出面との距離Ｌを、図５の（ｂ）に示すように、回折格子３６を配した位置と、粒子線照射対象である試料もしくは試料面３の位置との間の距離Ｌとして置き直す。本実施例の構成の適用条件としては、回折格子３６と試料もしくは試料面３との距離Ｌが実施の可否を判断する一つのパラメータとなる。回折格子を平行な照射波で照明したときの透過波と回折波との関係として、
(i)   透過波と回折波とが試料面上で重ならない、
(ii)  透過波が点像とならない（フラウンホーファー回折の条件に達しない）
の２条件を満たす必要がある。【００４９】
(i)の条件は、回折格子の開口領域の最大幅よりも同じかより広い領域を粒子線が照射するとき、回折格子を透過した粒子線により形成される回折格子の陰の領域と回折格子により回折された粒子線とが、試料上で互いに重ならないことを意味する。【００５０】
(i)の条件からは、回折波が回折角θにて距離Ｌだけ伝搬後、回折波の領域と透過波が作る格子の影の領域とが重なり合わない条件として式（４）が導かれる。【００５１】
【数４】
2017183472.tif 000007
【００５２】
すなわち、回折格子の格子間隔と回折格子の開口領域の最大幅との積が、粒子線の波長と、試料と試料の粒子線が流れる方向の上流側に備えられる回折格子との距離との積よりも小なることを意味する。【００５３】
また(ii)の条件は、フラウンホーファーの回折条件である式（５）を満たさない、として式（６）を得る。【００５４】
【数５】
2017183472.tif 000008
【００５５】
【数６】
2017183472.tif 000009
【００５６】
すなわち、本実施例の構成を実現するにあたり、回折格子のパラメータ（d, r）と粒子線装置のパラメータ（Ｌ, λ）は、式（７）を満たせばよい。【００５７】
【数７】
2017183472.tif 000010
【００５８】
式（７）で説明した適用条件は、図３の(a)や図４の(a)で示した単純格子４３を用いる場合の条件であった。ここで、図３の(b)、(c)、(d)や図４の(b)に示したゾーンプレート４４の場合についても説明する。ゾーンプレート４４は、レンズと同様の収束効果を持っている。その焦点距離ｆは、ゾーンプレートの中心部の半径、すなわち一番内側の輪帯の半径をrzとして式（８）で表される。【００５９】
【数８】
2017183472.tif 000011
【００６０】
ゾーンプレートの場合、開口に平行に入射した粒子線が焦点距離で点像に収束するため、収束サイズが開口サイズの半分よりも小さい領域であるのは、回折格子と試料との距離Ｌがゾーンプレートの焦点距離ｆの半分よりも長い場合（Ｌ＞f/2）である。言い換えるなら、ゾーンプレートの開口領域の最大幅よりも同じかより広い領域を粒子線が照射するとき、ゾーンプレートを透過した粒子線の収束サイズが開口領域の最大幅の半分よりも小さい場合である。これより、条件式（９）を得る。【００６１】
【数９】
2017183472.tif 000012
【００６２】
このゾーンプレートによれば、ゾーンプレートの開口領域の最大幅よりも同じかより広い領域を粒子線が照射するとき、ゾーンプレートを透過した粒子線が試料上に焦点を結ぶことができる。【００６３】
なお、ゾーンプレートの透過率については、ゾーンプレートを透過率０％でない、すなわち透過性のある材料で構成すると、収束ビームの強度が増すことが知られている。特にゾーンプレートの中心部の一番内側の輪帯を透過する粒子線にπの位相変化を与えた場合には、収束ビームの強度は最大となり約４０％の強度増加が得られる。そのため、ゾーンプレートにおいても表１で示した材料とその時の膜の厚さは同様に有効である。【００６４】
図６に、本実施例に係る粒子線装置のシステム全体の一構成例の模式図を示す。図６の装置は荷電粒子線装置４であり、100kVから300kV程度の加速電圧を持つ汎用型の電子顕微鏡を想定している。そのため試料の上側、すなわち粒子線の流れる方向の上流側には照射光学系を、試料の下側、すなわち粒子線の流れる方向の下流側には結像光学系を備えており、さらに、実施例６で詳述する干渉光学系への展開を念頭に、バイプリズム装置を備えた場合のシステム全体を模式的に描いている。【００６５】
荷電粒子線装置として干渉型の電子顕微鏡構成を本実施例に挙げたのは、粒子線装置の中では干渉型電子顕微鏡が最も複雑なシステムとして開発が進んでいるだけでなく、装置の利用手法においても汎用性を併せ持っているためである。例えば、図６の荷電粒子線装置４のシステムで照射光学系のレンズをすべてオフすれば、粒子源からの電子線を直接試料に照射する形態となり、合わせて結像光学系もオフすれば、最もシンプルな電子回折装置となる。すなわち、中性子線装置や重粒子線、Ｘ線装置を模擬する形態として装置を構成することができる。ただし、本実施例の適用を図６の構成を持つ干渉型電子顕微鏡に限定するものではない。【００６６】
図６において、粒子源である電子銃１が電子線の流れる方向の最上流部に位置し、粒子線の制御ユニット１９と加速管の制御ユニット４９の制御により、放出された電子線は加速管４０にて所定の速度に加速された後、制御ユニット４７、４８に制御される照射光学系のコンデンサレンズ４１、４２を経て、所定の強度、照射領域に調整されて試料上部の回折格子３６に照射される。そして図示を省略した、回折格子３６を透過した透過波と回折波は試料３に照射される。試料３を透過した電子線は、制御ユニット５９に制御される対物レンズ５にて結像される。この結像作用は、対物レンズ５よりも後段の制御ユニット６９、６８、６７、６６に制御される結像レンズ系６１、６２、６３、６４に引き継がれ、最終的に電子線装置の観察記録面７５に最終像８が結像される。その像はＣＣＤカメラなど画像検出器７９と画像データコントローラ７８を経て、例えば画像データモニタ７６の画面上で観察したり、画像データ記録装置７７に画像データとして格納される。【００６７】
回折格子３６を透過した透過波と回折波は、光学系を介さずに試料３に照射されるが、光源の像の位置であるクロスオーバーの位置は、照射光学系によって任意に選択が可能である。図６は、図２の(b)に示した場合、すなわちクロスオーバーが回折格子と試料との間に位置する場合を描いている。【００６８】
また、制御ユニット９８に制御されるバイプリズム装置９は、対物レンズ５の下側で第１結像レンズ６１の上側に配置する最も基本的な電子線干渉光学系に基づき描画している。もちろんバイプリズム装置９の位置は、この対物レンズ５と第１結像レンズ６１の間に限定するものではない。このバイプリズム装置９による電子線の干渉部、すなわち重畳部は、試料の像とともに対物レンズ後段の結像レンズ系６１、６２、６３、６４で拡大され、観察記録面７５に結像される。言いかえるなら、対物レンズ系もしくは結像光学系のいずれかに、あるいは両方にバイプイリズム装置を備えることができる。【００６９】
これら装置は、全体としてシステム化されており、オペレータはモニタ５２の画面上で装置の制御状態を確認するとともに、インターフェース５３を介して、各種プログラムが実行され、制御部として機能するシステム制御コンピュータ５１を用いて、回折格子３６の制御ユニット３８、試料３の制御ユニット３９、第２照射レンズ４２の制御ユニット４７、第１照射レンズ４１の制御ユニット４８、加速管４０の制御ユニット４９、対物レンズ５の制御ユニット５９、第４結像レンズ６４の制御ユニット６６、第３結像レンズ６３の制御ユニット６７、第２結像レンズ６２の制御ユニット６８、第１結像レンズ６１の制御ユニット６９、画像検出器７９の制御ユニット７８、バイプリズム装置９の制御ユニット９８等の制御ユニットを制御することにより、電子銃１、加速管４０、各レンズ、試料３、回折格子３６、バイプリズム装置９、画像検出器７９などを制御できる。【００７０】
なお、上記の粒子線装置システムは、透過型電子顕微鏡に基づいて説明したが、イオン顕微鏡などの荷電粒子線装置、および分子線装置、重粒子線装置、中性子線装置、そして広くはＸ線など電磁波装置に用いてもよい。その際に、それぞれの装置の特性に基づいて光学系の構成が変更されるのは、言うまでもない。なお、想定される粒子線装置の多くのものは、粒子線の偏向系や粒子線の軌道部を真空に排気するための真空排気系などを備えているが、本発明と直接の関係が無いため、図示、および説明は省略した。
【実施例２】
【００７１】
実施例２は、Ｘ線や重粒子線などを用いた医療応用装置の実施例である。ガンなどの放射線治療において、Ｘ線や重粒子線などを患者の患部に照射する際に、患部の探索や観察を目的とする照射と、探索により見出した患部への治療を目的とする照射とは同一の放射線を用いることがある。この場合、照射の範囲と照射密度はおのずから異なるため、同時照射はほとんどの場合不可能で、まず弱くて広い範囲を照射して患部を見つけた後、ピンポイントで強い粒子線を患部に照射する。しかし厳密には、強い粒子線を照射するときには患部の観察はしておらず、前探索時の観察結果とそれが同じ精度で再現されることを前提に強い粒子線照射を実施している。【００７２】
本実施例によれば、図７の(a)に示すごとく、試料３として患部の探索観察を行いながら放射線治療を実施することが可能である。すなわち、照射領域３７を透過する均一かつ弱い粒子線である透過波部分で照射し、全体像を観察する。そこで発見された患部に対しては、開口領域３５による回折波２２をピンポイントで照射し治療に利用する。これにより、全体像を観察したままの状態で、狙った部位を強照射できるため、間違いや位置を再度探す必要はなく、結果として全体での被ばく線量を減らすことができる。照射位置の制御は格子の水平/垂直移動による。さらに回折格子３６は光学系への着脱も可能であり、患部発見後、挿入する格子の透過性を減じておけば、さらに照射線量を減らすことが可能である。また、Ｘ照射に特に弱い部位については、透過波であるゼロ次回折波の影の部分２１を重畳させることによって、より適切に照射量を減らすことも可能である。【００７３】
なお、本実施例の構成は、被検体である患者に対する治療としての実施だけでなく、システム全体のサイズを小さくすれば、細胞レベルの研究にも適用できる。この細胞レベルの治療対象を図７の(b)に試料３として図示した。
【実施例３】
【００７４】
次に、実施例３として、実施例１で説明した基本構成、装置構成と同様な構成で、粒子線が直接的に試料に導入する電磁場を解析・評価する場合の実施例を説明する。本実施例により、均一照明下での照射プローブの粗密により、例えば磁性体試料に対して狙った形状・大きさの照射を行い、照射による磁性発現の効果を制御できる。回折波による重畳照射の位置の制御は、実施例１に記載と同じく回折格子の装置光軸と垂直２次元方向の移動によるが、照射プローブの照射密度の制御には、回折格子を装置の光軸方向に移動させても実現することができる。【００７５】
例えば光磁性体・光誘電体など光照射によって材料中に導入される電磁現象を対象とすることも可能となる。光波は光学ベンチなどにより、電子線や他の粒子線に比べれば格段に高い自由度でコントロールできるが、紫外光やＸ線となると有効な光学素子の不足から、取り扱い環境は電子線や他の粒子線と似た状況となる。そのため、本発明はこれら光誘起現象においても有効な観測手段となり得る。【００７６】
具体的には、例えば光磁性体においては、小さなプローブでの照射により光磁性体中にスキルミオンに類似の周回磁化状態を作り出すことができるし、少し照射プローブのサイズが大きくなれば単磁区構造、あるいは反転２磁区構造を作り出せる。さらに照射領域が大きくなるほどに多磁区構造を作り出すことができる。本実施例によれば、これら作り出された磁気状態や磁区構造を、用いた照射プローブにより直接観察できる。これらの磁性の制御は、物理現象としての磁性材料の磁化現象の素過程の解明につながるだけでなく、磁性半導体のメモリの加工、あるいは動作制御などに役立つ。また、誘電体においても光磁性体と同様の実施、同様の誘電現象の観察が可能であり、粒子線照射に由来する電磁現象の素過程の解明と有機薄膜などの観察に資することができる。
【実施例４】
【００７７】
実施例４として、磁性材料以外の材料においても、実施例１で説明した基本構成、装置構成と同様な構成で、粒子線が試料材料中に直接的に導入する電磁現象について、観測ができる実施例を説明する。例えば、透過型電子顕微鏡で用いられ始めている無孔型位相板においては、試料を透過して対物レンズで収束された高密度の電子線自身がカーボン薄膜中に導入する電場により、電子線自身の位相が変化して位相板効果が得られると推定されている。ここで位相板効果とは、位相板で透過波、すなわちゼロ次回折波とその周辺部を透過する回折波との間にλ/4の位相差を与え、そのときの透過波と回折波との干渉の効果により位相分布に線形なコントラストを得ることである。この現象の直接観察のためにはプローブとしての電子線を収束させねばならないが、収束させたときには周辺部にはそもそも電子線が存在せず、位相差を定められないため計測そのものが実施できていない。すなわち、位相板を直接、位相板としての使用環境において試験、評価することはできていない。【００７８】
しかし上述した実施例１の構成に依れば、位相板使用環境と類似の状況、すなわちゼロ次回折波とその周辺部の両方が存在する状況を作り出すことができ、位相板の効果を直接的に観測することができる。なお、位相板は、生物試料、誘電体試料など、電子線ではコントラストが得られない試料を観察するための、有力な手段と考えられているが、位相板を直接評価する手法はなく、現状の開発は試行錯誤の状況である。本実施例によれば、これら位相板の開発に有効な手法を提供することが可能となる。【００７９】
なお、位相板を例に本実施例の有効性を説明したが、粒子線が試料に導入・発現する電磁現象自体は、一般的なものであり、本実施例の構成によれば、これら一般の試料材料における粒子線が直接的に導入する電磁現象の観測に有効な手段を提供することができる。
【実施例５】
【００８０】
実施例５は、らせん波を試料に重畳照射する光学系についての実施例である。図１に示した基本構成における回折格子を、図４の(c)に示す刃状転位格子４５、あるいは図４の(d)に示す渦状ゾーンプレート４６に置き換えることにより、らせん波を試料に重畳照射する光学系として利用することが可能となる。【００８１】
らせん波は特に電子線の分野で、次世代、あるいは次々世代のプローブと考えられている新しい粒子線である。等位相面がらせん状の構造を持つためこの名称がある。荷電粒子線でらせん波を発生させた場合、磁性を伴って伝搬する粒子線となる可能性があり、光軸垂直方向の磁化成分の検出や、たんぱく質等のらせん構造体の観察、あるいは磁気特性を利用した加工に有効な粒子線になると考えられている。【００８２】
そこで本実施例では、回折格子をらせん波発生用の刃状転位格子に置き換えることにより、試料上に観察用の回折格子の開口外側周辺部を透過した均一照明粒子線と、例えば磁性観察用らせん波を同時に所定の試料に照射することができる。らせん波の位置の制御は、回折格子を装置の光軸に垂直な２次元方向の移動により実現できるので、試料の全体像を観察しながらピンポイントで、磁性体の位置を探ること、あるいはらせん波により磁気を付与できる。また、上述の磁性体をらせん構造を持ったたんぱく質に置き換えれば、生体試料内の狙ったたんぱく質の位置解析を実現できる。さらに、上記で説明したらせん波を観察・解析ではなく、らせん波の強度を調整することにより、材料の加工にも用いることができる。この調整方法は、回折格子の材料や厚さ、回折格子の設置位置による。そして格子自体は、開口サイズ、格子間隔などによる。
【実施例６】
【００８３】
実施例６は、干渉計測法への応用を実現する粒子線装置の実施例である。図８は実施例６に係る粒子線装置の光学系の一構成を示す模式図であり、具体的には透過型電子顕微鏡を念頭にバイプリズム装置を用いた干渉光学系の例である。【００８４】
図８の上部に示す回折格子３６と試料もしくは試料面３、そして粒子線のクロスオーバー２６の位置関係は図１に示した光学系と同じである。透過性を保持した回折格子３６の開口領域３５よりも広範囲の照射領域３７を入射粒子線２５が照射し、開口領域３５である開口部で回折を受けた±１次の回折波２２と透過波２１が試料もしくは試料面３で重畳照射される。このとき、開口領域３５を透過した透過波、すなわちゼロ次の回折波は、回折波にエネルギー分与した分だけ強度が低下し、試料もしくは試料面３上の全照射域に対しては、照射強度の低下した影の照射領域を作りだす。結果として、試料もしくは試料面３上は粒子線の照射領域３７の回折格子３６の開口外側周辺部を透過した粒子線の強度を基準として、基準よりも回折波の重畳分だけ強度が増した照射領域と回折波に強度を分与した分だけ強度が低下した領域の３通りの照射を同時に得ることができる。【００８５】
図８の粒子線装置では、上述の図１で説明した基本構成に加えて、試料３の粒子線の伝搬方向下流側にバイプリズム装置９を備えている。このバイプリズム装置９は、電子顕微鏡における電界型電子線バイプリズムを念頭に置いた描画をしており、粒子線装置の光軸２上にフィラメント電極９１、フィラメント電極９１を挟む形で２枚の平行平板接地電極９９からなる構成をしている。バイプリズム装置９への入射粒子線２５が荷電粒子線の場合、フィラメント電極９１への電圧印加によってフィラメント電極９１の左右を通過した粒子線を互いに重ね合わせることが可能となり、粒子線が可干渉性を保持している範囲内で粒子線干渉を観察することが可能となる。【００８６】
図８は試料もしくは試料面３の下側で対物レンズ５よりも上側にバイプリズム装置９を挿入する構成の干渉光学系を例示している。この干渉光学系は低倍率で広範囲の干渉領域８２を観察できる利点を持つ光学系で、図６に示した対物レンズ５下側にバイプリズム装置９を配する光学系とは、位置関係が異なっているが、干渉光学系であることに変わりはなく、いずれかの干渉光学系に限定するものではない。【００８７】
図８の粒子線装置の構成では、対物レンズ５は試料もしくは試料面３にフォーカスしており、像面３４には試料の像が結像されている。この試料像中には、２つの回折波２２が重畳照射した領域と、装置の光軸２上の回折格子の影の領域２１とが含まれている。２つの回折波重畳領域は、他の基準となる領域と比較して強い照射領域となっているため、強照射領域の試料内部、あるいは試料表面上に帯電などの電磁現象が発生していれば、その現象が基準照射の透過波中に位相変化として反映される。図８は、その位相変化を計測するための干渉光学系の構成を示している。干渉領域、すなわちホログラム領域に回折波の重畳部が含まれるように、回折格子あるいはバイプリズム装置の方位回転、およびフィラメント電極への印加電圧を調整すればよい。好適には、回折格子の保持装置と、試料保持部と、バイプリズム装置のいずれか、あるいはいずれか複数が、光軸を回転軸とした方位回転が可能であるよう構成する。【００８８】
なお、図８において回折の発生する方位である回折スポットの配列方位は、光軸２を中心に右上から左下に描画している。また、バイプリズム装置９による干渉の方位、すなわち干渉縞８４と垂直方向は、図中左上から右下に描画している。この２つの干渉方向を直交させることにより、回折波２２と開口外側周辺部を透過した透過波の可干渉性がある場合でも、透過波２１に反映された試料３に発生した位相変調を分離検出することが可能となる。回折格子３６の開口領域である開口部の影の領域と回折波２２の重畳領域とが可干渉距離を越えて大きく外れている場合、すなわち回折格子と試料との距離が大きな場合には、図８の光学系にて発生する干渉効果は、バイプリズム装置９によるもののみであるため、上記２つの干渉性の直交関係は気にしなくても良いが、装置の構成上、回折格子と試料との距離を十分に大きく採れない場合には、この直交性への検討は観察精度を向上させるために重要なファクターとなる。また、回折格子と試料との距離を大きく採るために、回折格子３６と試料３との間に電磁レンズなどの結像光学系は、入らない方が望ましい。
【実施例７】
【００８９】
実施例７は、回折格子からの透過波と回折波との間に可干渉性が保持されている場合の電子顕微鏡、及びその観察法の実施例である。この場合には、透過波と回折波のいずれか一方を物体波、他方を参照波として、ホログラフィーを実現できる。電子顕微鏡において本実施例の構成を採る場合には、実施例６で説明した電子線バイプリズムを使用しなくても、電子線ホログラフィーが実現できる。【００９０】
図９に本実施例に係る透過波２１と回折波２２との干渉の様子を示す。回折波２２に空間的な広がりを持たせ、透過波２１との干渉縞８４を例示しやすくするため、本実施例では挿入する回折格子３６をらせん波生成用の刃状転位格子４５とし、回折波２２としてはリング状の回折スポット２６を説明の対象とするが、以下の説明はらせん波を用いる場合に限定するものではない。【００９１】
刃状転位格子４５の格子を刻んだ部分とその外側を透過した波も、刃状転位格子４５で回折された波もクロスオーバー２６を結ぶ光軸２上の位置（高さ）は同じである。このクロスオーバー２６面は光源の像面であって、回折格子３６にとっての逆空間である回折面３０１に対応している。そのため、回折格子３６がらせん波生成用の刃状転位格子４５である場合、後で図１０を用いて詳述するように、透過波のスポット２６に加えてリング状の回折スポット２６が生成される。【００９２】
刃状転位格子４５よりも広範囲を照射した入射波２５は収束角も大きく、光軸２に沿った伝搬を検討すると、刃状転位格子４５を透過してから急速に縮小され回折面３０１上でスポットを結ぶ。その後、急速に拡大される。透過波２１と同様に回折波２２も伝搬によって縮小され、回折面３０１で最小サイズの回折スポット２６を結んだ後、拡大される。しかし、この回折波２２のサイズの変化の程度は、透過波２１の変化と比較するとはるかに小さい。従って、回折面３０１からの距離を適切に選びデフォーカス面を作り出せば、透過波２１と回折波２２との重畳する空間を観察することができる。この透過波２１と回折波２２とが、空間的に可干渉距離の範囲内であるとき、これら２波の干渉が観察される。【００９３】
図１０にこの光軸２上の位置の変化による透過波２１と±１次および±２次の回折波２２とのサイズの変化の様子の観察例を示した。同図において、５次の刃状転位格子（すなわち回折波として発生するらせん波のトポロジカル数が５）の透過波と回折波との重畳の様子を光軸に沿って観察した実験例である。図１０の（ａ）が、回折パターン、すなわち回折面３０１にフォーカスした時の観察像、図１０の（ｂ）、（ｃ）の順にフォーカスを外す量を大きくして観察した像である。【００９４】
図１０の（ａ）が、刃状転位格子４５の回折面３０１でのパターンであり、透過波のスポット２６０を中心に左右対称に±１次と±２次の計４つ回折スポットが配列している。透過波のスポット２６０から近い順に、±１次回折スポット２６１、±２次回折スポット２６２である。各々の回折スポット２６１、２６２はらせん波を特徴づけるリング状の回折スポットとなっている。【００９５】
図１０の（ｂ）、（ｃ）の中央部の円盤状の明るい領域２６３は、透過波が回折面からフォーカスが外れた時のビームの広がった状態を示しており、このフォーカスが外れた円盤状の中央部の少し暗いコントラスト部が回折格子の影２６４である。透過波２１は回折面から少し外れると急速に広がっていくため図１０の（ｂ）、（ｃ）とフォーカスを外す量に従って、円盤状の明るい領域２６３のサイズは急速に大きくなっている。一方、回折スポット２６１、２６２には、図１０の（ａ）、（ｂ）、（ｃ）を通して大きなサイズの変化はない。これにより、各回折スポットと透過波との個別の干渉が観察できるのである。【００９６】
図１０の（ｂ）、（ｃ）では、回折スポット２６１、２６２は、それぞれ透過波と重なっており、リング状の回折スポット２６１，２６２に縦縞８４が観察される。この縞８４が透過波とそれぞれの回折波（らせん波）との干渉縞であり、縦縞８４が重畳された回折スポット２６１、２６２は、それぞれのらせん波のホログラムとなっている。図１０の（ｂ）、（ｃ）のリング状の回折スポット２６１、２６２は、その中心部の強度が弱いため明確には見えないが、図４の（ｃ）に示した刃状転位格子と類似の刃状転位を伴った干渉縞を成している。なお、図１０の（ｂ）、（ｃ）の広がった透過スポット２６０の周囲に同心円状に見える縞２６５は、照射光学系のコンデンサ絞りの縁から発生したフレネル回折波が重畳されることによって発生したフレネル縞である。【００９７】
図１１に図１０の（ｃ）の±１次の回折スポットをホログラム（Hologram）として切り出し、フーリエ変換再生法にて再生したときの再生像を示す。図１１の（ａ）が、図１０左側の−１次の回折スポット２６１のホログラムとその再生振幅像（Amplitude）および再生位相像(Phase)、図１１の（ｂ）が右側＋１次の回折スポット２６１のホログラムとその再生振幅像および再生位相像である。両回折スポットのホログラム、すなわち、リング状の回折スポット２６１に干渉縞８４が重畳された画像からの再生においては、再生位相像の位相分布８４６は２πごとに折り返す様に再生しており、位相分布８４６の中心を周回した際に５回の折り返しが観察されている。すなわち、再生位相像は回折波がトポロジカル数５のらせん波であることを明確に示している。リング形状８４５を再生している振幅像とともに、図１１ではらせん波の再生が成功していることがわかる。【００９８】
図１１の（ａ）、（ｂ）の２つの再生位相像では、図中矢印８４７で示した白から黒への色の変化方向である位相変化の勾配はいずれも時計方向に回っており一致している。直接波のホログラムである図１１の（ｂ）と、共役波のホログラムである図１１の（ａ）の再生位相像の位相分布が一致していることは奇異に感じられるかもしれないが、この結果は正しいものである。この原因を簡単に説明すると、以下の通りである。刃状転位格子４５により回折された−１次の回折波は共役波となっているが、この共役波の図１１の（ａ）のホログラムを再生するときに、−１次の側のサイドバンド（再生波に該当する）を選択したことにより都合２回の共役化が実施された結果、直接波の位相分布に戻ったものである。このため、図１１の（ａ）の再生位相像の位相変化の勾配は、図１１の（ｂ）の再生位相像の勾配と一致している。すなわち、図１１の（ａ）、（ｂ）の２つの再生波は、振幅も位相も含めて原理的には全く同一のものである。【００９９】
図１２に本実施例の図１０の観察を実現し、図１１のホログラムを記録したときの干渉光学系を示す。この干渉光学系では、刃状転位格子４５の電子線の流れる方向の上流側のクロスオーバー２６を回折面３０１として、その上のアンダーフォーカス面３０２と、その下のオーバーフォーカス面３０３の位置を記録している。これは刃状転位格子４５にとっては虚像を観察することに該当するが、光学系にとっては図９で説明した光学系と共役な関係にあり、等価なものである。図１０の実験結果の観察例は、図１２の光学系に基づき、刃状転位格子４５の電子線の流れる方向の上流側の虚像を観察したものである。すなわち、図１２の光学系は、図１０、図１１の観察、実験結果にも示されたとおり、本実施例のための光学系として何ら支障のない構成であり、更に大カメラ長が得易く、小角回折パターンを得るのに適した光学系である。
【実施例８】
【０１００】
図１３に刃状転位格子４５を透過した透過波２１と回折波２２との干渉光学系において、回折波２２を物体波に、透過波２１を参照波に構成する実施例８に係るホログラフィー光学系の一例を示す。もちろん、上記とは逆に、回折波２２を参照波とし、透過波２１を物体波とする構成も可能である。図示は省略するが、例えば試料３が微粒子などの場合、透過波の一部に試料３を配置し、回折波２２と透過波２１との重畳領域に微粒子の投影像を一致させることで、回折波２２を参照波とし、透過波２１を物体波としたホログラムの記録が容易に実現される。いずれにしても、光軸２上において、荷電粒子線である入射粒子線２５の進行方向に回折格子である刃状転位格子４５、刃状転位格子４５の回折面３０１に置かれた試料３の順に構成される。【０１０１】
図１３の構成では、観察対象となる試料３を、刃状転位格子４５にとっての逆空間である回折面３０１に配置し、その試料３を透過したらせん波である回折波２２と透過波２１との干渉を、回折面３０１から光軸２に沿って上下いずれかに位置をずらして（回折面３０１を基準にしたときのフォーカスを外して）記録する。透過波２１が参照波、試料３を透過したらせん波（回折波２２）が物体波となっている。図９ではらせん波の回折スポット２６を試料３に透過させ、そのホログラムをアンダーフォーカス面３０２、あるいはオーバーフォーカス面３０３にて記録する。記録されたホログラムからの再生方法は前述の通りである。なお、ここでは試料と記載したが、観察対象は空間に存在する電磁場でも、物質内部の歪場でもよい。電子波の位相に変調を与えるものであれば何でも観察対象とできる。これらを総称して試料と記載している。図１３の構成では、回折面での回折スポットの図示の容易さから、刃状転位格子４５を用いたらせん波での干渉計測を説明したが、本実施例もらせん波に限定するものではない。この図１３の光学系を用いると、ホログラフィーが実現でき、特に電子顕微鏡の場合では、電子線バイプリズムを用いずとも、電子線ホログラフィーが実現できる。【０１０２】
以上詳述した本発明の各種の実施例によれば、回折格子で回折を受けずに透過した粒子線による照射量を基準にして、回折により重畳あるいは減少された照射粒子線による試料への照射の影響を、周辺部の様子とともに観察可能な粒子線装置、及びその観察法を提供することができる。【０１０３】
なお、上述した種々の実施例は本発明のより良い理解のために説明したのであり、必ずしも説明の全ての構成を備えるものに限定されものではない。例えば、回折格子の開口領域の外側周辺部は、開口領域の全周囲に存在せず、一部にのみ配置しても良い。また、ある実施例の構成の一部を他の実施例の構成に置き換えることが可能であり、また、ある実施例の構成に他の実施例の構成を加えることが可能である。また、各実施例の構成の一部について、他の構成の追加・削除・置換をすることが可能である。【０１０４】
例えば、図示は省略するが、実施例１〜実施例８の構成において、複数の回折格子を入射粒子線の照射領域内に配置することによって、それぞれの回折格子からの回折波を用いた複数個所の同時重畳照射することも可能である。この時、回折格子の開口形状、格子パターンなどをパラメータとして任意に変更可能に構成しておけば、被照射対象の状況に応じて、より複雑なパターンを重畳照射可能とできる。例えば、実施例２と同じく医療応用ならば、患者の患部に応じた形状や必要な強度に粒子線を制御して照射することが可能となる。【０１０５】
更に、上述した各構成、機能、制御部等は、それらの一部又は全部を実現するプログラムが動作するシステム制御コンピュータを使用する例を説明したが、それらの一部又は全部を例えば集積回路で設計する等によりハードウェアで実現しても良いことは言うまでもない。すなわち、制御部の全部または一部の機能は、プログラムに代え、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積回路などにより実現してもよい。
【符号の説明】
【０１０６】
１  電子銃もしくは粒子源
１８  真空容器
１９  粒子源の制御ユニット
２  光軸
２１  透過波
２２  回折波
２３  照射領域
２５  入射粒子線
２６  クロスオーバー
２６０  スポット
２６１、２６２  回折スポット
２６３  明るい領域
２６４  回折格子の陰
２６５  縞
３  試料もしくは試料面
３０  基板
３０１  回折面
３０２  アンダーフォーカス面
３０３  オーバーフォーカス面
３１  幹部
３２  薄膜
３３  補強部
３４  試料の像もしくは試料の像面
３５  開口領域
３６  回折格子
３７  粒子線の照射領域
３８  回折格子の制御ユニット
３９  試料保持装置の制御ユニット
４  荷電粒子線装置
４０  加速管
４１  第１コンデンサレンズ
４２  第２コンデンサレンズ
４３  単純格子
４４  ゾーンプレート
４５  刃状転位格子
４６  渦状ゾーンプレート
４７  第２コンデンサレンズの制御ユニット
４８  第１コンデンサレンズの制御ユニット
４９  加速管の制御ユニット
５  対物レンズ
５１  システム制御コンピュータ
５２  システム制御コンピュータのモニタ
５３  システム制御コンピュータのインターフェース
５９  対物レンズの制御ユニット
６１  第１結像レンズ
６２  第２結像レンズ
６３  第３結像レンズ
６４  第４結像レンズ
６６  第４結像レンズの制御ユニット
６７  第３結像レンズの制御ユニット
６８  第２結像レンズの制御ユニット
６９  第１結像レンズの制御ユニット
７５  像検出面
７６  画像データモニタ
７７  画像データ記録装置
７８  画像データコントローラ
７９  画像検出器
８  最終像
８２  干渉領域
８４  干渉縞
８４５  リング形状
８４６  位相分布
８４７  矢印
９  バイプリズム装置
９１  フィラメント電極
９８  バイプリズム装置の制御ユニット
９９  平行平板接地電極
【図１】
2017183472.tif 000013
【図２】
2017183472.tif 000014
【図３】
2017183472.tif 000015
【図４】
2017183472.tif 000016
【図５】
2017183472.tif 000017
【図６】
2017183472.tif 000018
【図７】
2017183472.tif 000019
【図８】
2017183472.tif 000020
【図９】
2017183472.tif 000021
【図１０】
2017183472.tif 000022
【図１１】
2017183472.tif 000023
【図１２】
2017183472.tif 000024
【図１３】
2017183472.tif 000025
【国際調査報告】
2017183472.tif 000026
2017183472.tif 000027
2017183472.tif 000028
2017183472.tif 000029